(57)【要約】【課題】外観性を損なうことなく、開閉パネルの反りによる隙間が見えないようにする。【解決手段】本体フレームに被せられる左側面部、右側面部および前面部を有する前面パネルと、上端が前面パネルに軸支され下端が開閉端となっており前面パネルの前面部１１に設けられる開閉パネル２１とを備えている空気調和機の室内機において、前面パネルの前面部１１に開閉パネル２１の下端に沿って前面パネル１１の裏側に向う段差面１１１を形成するとともに、開閉パネル２１の下端に段差面１１１と重なり合うフランジ２２を形成し、開閉パネル２１が閉じられている状態において、フランジ２２の下面は当該室内機１の外観に含まれるようにする。【選択図】図４
2020063858.tif 000002
【特許請求の範囲】
【請求項１】
本体フレームと、上記本体フレームに被せられ左側面部、右側面部および前面部を有する前面パネルと、上記前面パネルの前面部に設けられ上端が上記前面パネルに軸支され開閉が可能な開閉パネルとを備える空気調和機の室内機において、
上記前面パネルの前面部には、上記開閉パネルの下端に沿って上記前面パネルの裏側に向う段差面が形成されており、上記開閉パネルの下端には、上記開閉パネルが閉じた状態において、上記段差面と重なり合うフランジが形成されていることを特徴とする空気調和機の室内機。
【請求項２】
上記段差面を第１段差面、上記フランジを第１フランジとして、上記前面パネルの左側面部および右側面部には、上記第１段差面に連なり上記前面パネルの裏側に向う第２段差面が形成されており、上記開閉パネルの左側縁および右側縁には、上記第２段差面と重なり合う第２フランジが上記第１フランジと連続して形成されていることを特徴とする請求項１に記載の空気調和機の室内機。
【請求項３】
上記フランジの端部と上記前面パネルの間には、上記開閉パネルを開閉する際の指掛け部となる隙間が形成されていることを特徴とする請求項１または２に記載の空気調和機の室内機。
【発明の詳細な説明】
【技術分野】
【０００１】
本発明は空気調和機の室内機に関し、さらに詳しく言えば、壁掛け式の室内機に関するものである。
【背景技術】
【０００２】
図７を参照して、壁掛け式の室内機１の多くは、外装体としての前面パネル１０を備えている。前面パネル１０は、送風機や熱交換器およびそれらを収納する本体フレーム（いずれも図示しない）に被せられる。
【０００３】
前面パネル１０は、後述する前面部１１（図９参照）、左右一対の側面部１３（左側面部１３Ｌ，右側面部１３Ｒ）を有し、前面下部には風向板１５が配置されている。図７には示されていないが、前面パネル１０は、前面部１１および左側面部１３Ｌ，右側面部１３Ｒの各上縁で囲まれる上面を有し、その上面には天面パネルが配置される。
【０００４】
前面パネル１０の前面部１１には、メンテナンス時に開けられる開閉パネル２１が取り付けられている。開閉パネル２１は、その上端側が前面パネル１０の前面部１１に軸支され下端側が開閉端として開閉できるようになっている。
【０００５】
開閉パネル２１は、合成樹脂製のため成形後に反りが生じることが多く、前面パネル１０の前面部１１に取り付けた際に、図８に示すように、前面パネル１０の前面部１１との間に隙間Ｇが生ずることがある。この隙間Ｇは外観上好ましいものではなく、また、反りの具合によっては隙間Ｇが不均一に見えることがある。
【０００６】
そこで、その対策の一例として、図９の断面図（図７のｃ−ｃ線断面図）に示すように、前面パネル１０の前面部１１に、開閉パネル２１の下端２１ａに沿って上壁１２１と下壁１２２を有する凹溝１２を形成するとともに、開閉パネル２１の下端２１ａに凹溝１２内に入り込むフランジ２２を設けるようにしている（例えば、特許文献１参照）。
【０００７】
フランジ２２の凹溝１２内への入り込み量は、成形時のバラツキにより開閉パネル２１に生じる反り量のうち最大の反り量（隙間Ｇが最大となる反り量）を勘案して、それ以上に設定される。したがって、開閉パネル２１に反りが生じたとしても、その反りが入り込み量以内であれば、前面パネル１０と開閉パネル２１との間に隙間は見えない。
【先行技術文献】
【特許文献】
【０００８】
【特許文献１】特開２０１８−８４３６９号公報
【発明の概要】
【発明が解決しようとする課題】
【０００９】
しかしながら、上記従来技術には次のように問題がある。第１に、凹溝１２の下壁１２２の端部１２２ａが見えるため、複雑な外観であるとの印象を与えることになる。
【００１０】
第２に、開閉パネル２１を開ける際、開閉パネル２１のフランジ２２に指を掛けることができないため、図１０に示すように、前面パネル１０の例えば側面部１３の開閉パネル２１との合わせ面に指掛け用の凹部１６を設ける必要がある。指掛け用の凹部１６に代えて側面部１３の外側に突出する摘まみ片が設けられることもあるが、いずれにしても、外観上は好ましくない。
【００１１】
第３に、図１１に示すように、開閉パネル２１の側縁２１ｅを側面部１３に回り込ませるようなデザインとする場合、凹溝１２を前面部１１から側面部１３にかけて形成することとなる。そうすると、開閉パネル２１を開閉する際、フランジ２２が凹溝１２の下壁１２２に当接（干渉）し、開閉パネル２１が開閉できなくなる。そのため、従来の構造では、図１１のようなデザインを実施できない。
【００１２】
また、側面部１３側のみ凹溝１２を設けないようにした場合、開閉パネル２１の成形時の寸法のバラツキによる干渉を防ぐため、前面パネル１０の幅寸法に対して、開閉パネル２１の内側の幅を大きく形成し、通常、２〜３ｍｍの隙間を設けている。これらのことから、前面パネル１０と開閉パネル２１との間のコーナー部分が穴Ｈとして見えてしまい、外観上好ましくない。
【００１３】
そこで、本発明の課題は、外観性を損なうことなく、開閉パネルの反りによる、開閉パネルの前面部と前面パネルの間の隙間が見えないようにするとともに、開閉パネルの開閉に支障が生じないようにした、空気調和機の室内機を提供することにある。
【課題を解決するための手段】
【００１４】
上記課題を解決するため、本発明は、本体フレームと、上記本体フレームに被せられ左側面部、右側面部および前面部を有する前面パネルと、上記前面パネルの前面部に設けられ上端が上記前面パネルに軸支され開閉が可能な開閉パネルとを備える空気調和機の室内機において、
上記前面パネルの前面部には、上記開閉パネルの下端に沿って上記前面パネルの裏側に向う段差面が形成されており、上記開閉パネルの下端には、上記開閉パネルが閉じた状態において、上記段差面と重なり合うフランジが形成されていることを特徴としている。
【００１５】
本発明には、上記段差面を第１段差面、上記フランジを第１フランジとして、上記前面パネルの左側面部および右側面部には、上記第１段差面に連なり上記前面パネルの裏側に向う第２段差面が形成されており、上記開閉パネルの左側縁および右側縁には、上記第２段差面と重なり合う第２フランジが上記第１フランジと連続して形成されている態様も含まれる。
【００１６】
また、本発明の好ましい態様によれば、上記フランジの端部と上記前面パネルとの間には、上記開閉パネルを開閉する際の指掛け部となる隙間が形成される。
【発明の効果】
【００１７】
本発明によれば、外観性を損なうことなく、開閉パネルの反りによる隙間を見えなくすることができる。また、開閉パネルの開閉に支障が生じないようにした室内機を提供することができる。
【図面の簡単な説明】
【００１８】
【図１】本発明の実施形態に係る空気調和機の室内機を示す外観斜視図。
【図２】上記室内機の正面図。
【図３】上記室内機の右側面図。
【図４】図２のａ−ａ線拡大断面図。
【図５】指掛け部を説明する図４と同様の拡大断面図。
【図６】図３のｂ−ｂ線拡大断面図。
【図７】従来例に係る室内機を示す外観斜視図。
【図８】上記従来例の室内機において、開閉パネルの反りにより隙間が生じた状態を示す外観斜視図。
【図９】図７のｃ−ｃ線拡大断面図。
【図１０】上記従来例の室内機で、指掛け部を設けた例を示す外観斜視図。
【図１１】上記従来例の室内機で、前面パネルと開閉パネルのコーナー部に穴が生ずる例を示す模式図。
【発明を実施するための形態】
【００１９】
図１ないし図６により、本発明の実施形態について説明するが、本発明はこれに限定されるものではない。なお、先に説明した従来例に係る室内機と実質的に同一もしくは変更を要しない構成要素には同じ符号を用いる。
【００２０】
図１ないし図６を参照して、この実施形態に係る室内機１Ａは壁掛け式で、図示しない送風機や熱交換器およびそれらを収納する本体フレーム１０Ｂに外装体として被せられる前面パネル１０Ａを備えている。
【００２１】
前面パネル１０Ａは、前面部１１（図４参照）と左右一対の側面部１３（左側面部１３Ｌ，右側面部１３Ｒ）を有し、前面下部には風向板１５が配置されている。図２、図３に示すように、前面パネル１０Ａの上面には天面パネル１７が配置されている。この実施形態において、天面パネル１７には空気吸込部が設けられている。また、風向板１５は上下風向板である。
【００２２】
先に説明した従来例と同じく、前面パネル１０Ａの前面部１１には、メンテナンス（例えば、フィルター清掃）時に開けられる開閉パネル２１が取り付けられている。開閉パネル２１は、その上端２１ｂ側が前面パネル１０Ａの前面部１１に軸支され下端２１ａ側が開閉端として開閉できるようになっている。
【００２３】
開閉パネル２１の反りによって前面部１１との間で生ずる隙間Ｇ（図８参照）を隠すため、この実施形態においても、図４に示すように、開閉パネル２１の下端２１ａに、開閉パネル２１を閉じたときに前面パネル１０Ａの前面部１１側に向けて延びるフランジ２２が形成されている。
【００２４】
これに対して、前面パネル１０Ａの前面部１１には、フランジ２２が重ねられる段差面１１１が形成されている。この段差面１１１は、先の従来例で説明した凹溝１２のように下壁１２２を備えていない。
【００２５】
したがって、開閉パネル２１が閉じられている状態において、フランジ２２の下面（段差面１１１と対向する面（上面）とは反対側の面）は、当該室内機１の外観に含まれ、ユーザーから見えることになる。
【００２６】
フランジ２２の長さ（開閉パネル２１の下端２１ａから延びる寸法で、段差面１１１と重なり合う量Ａ）は、開閉パネル２１の最大の反り量（隙間Ｇが最大となる反り量）を勘案して、それ以上に設定するとよい。これによれば、開閉パネル２１に反りが生じたとしても、その反りが想定した最大の反り量以内であれば、開閉パネル２１と前面部１１との間に生ずる隙間を隠すことができる。
【００２７】
また、図２において、従来例で見えていた下壁１２２の端部１２２ａによる線がなくなるため、その分、外観がよくなる。なお、成形の寸法的なバラツキを考慮して、フランジ２２が前面部１１にぶつからないようにするため、図４に示すように、フランジ２２の上面と段差面１１１との間に２〜３ｍｍのクリアランスＥを確保することが好ましい。
【００２８】
また、図５に示すように、フランジ２２の先端部２２ａと前面部１１との間に、例えば２〜６ｍｍ程度の間隔Ｄを設けて、その部分を開閉パネル２１を開く際の指掛け部１８とすることもできる。これによれば、先の図１０で説明した側面部１３に指掛け部１６や側面部１３の外側に突出する摘まみ片を設ける必要がなく、好ましい外観が得られる。
【００２９】
段差面１１１は、上記従来例における凹溝１２のようにフランジ２２を挟む形状ではないため、側面部１３に形成しても支障なく開閉パネル２１を開閉することができる。その実施形態を図３および図６により説明する。なお、図６は図２において開閉パネル２１の左側縁側の断面図である。
【００３０】
前面パネル１０Ａの前面部１１に形成される段差面１１１を第１段差面、開閉パネル２１の下端２１ａに形成されるフランジ２２を第１フランジとして、前面パネル１０Ａの側面部１３（左側面部１３Ｌ，右側面部１３Ｒ）の前面部１１側に、第２段差面１１２が形成される。第２段差面１１２は、前面部１１の第１段差面１１１と連続し、側面部１３側にまで回り込むようにして形成される。
【００３１】
また、開閉パネル２１の側縁（左側縁および右側縁）２１ｅには、前面パネル１０の側面部１３側に回り込んで第２段差面１１２と重なり合う第２フランジ２３が第１フランジ２２と連続して形成される。
【００３２】
これによれば、第２段差面１１２には上記凹溝１２のように下壁１２２がないため、支障なく開閉パネル２１を開閉することができる。なお、図６に示すように、第２フランジ２３と第２段差面１１２の間にも、２〜３ｍｍのクリアランスＦを確保することが好ましい。
【００３３】
図３を参照して、前面パネル１０Ａの側面部１３は、開閉パネル２１の側縁２１ｅが重ね合わされる前縁側に形成された縦に細長い第１パネル面１３ａと、残余の第２パネル面（主パネル面）１３ｂとからなり、第１パネル面１３ａは、第２パネル面１３ｂよりも開閉パネル２１の側縁２１ｅの板厚分低くなっている。これにより、開閉パネル２１を閉じた際、その側縁２１ｅは第２パネル面１３ｂと同一面となる。
【００３４】
また、側面部１３と開閉パネル２１の側縁２１ｅとの間に、開閉パネル２１の横寸法のバラツキ分のクリアランスＢを、また、第２フランジ２３の第２段差面１１２に対するオーバーラップ量Ｃを、同じく開閉パネル２１の横寸法のバラツキ分だけ確保することにより、外観上隙間が殆ど発生しない。
【符号の説明】
【００３５】
１，１Ａ  室内機
１０，１０Ａ  前面パネル
１１  前面部
１３  側面部
１１１  段差面（第１段差面）
１１２  段差面（第２段差面）
１５  風向板
１８  指掛け部
２１  開閉パネル
２２  フランジ（第１フランジ）
２３  フランジ（第２フランジ）
【図１】
2020063858.tif 000003
【図２】
2020063858.tif 000004
【図３】
2020063858.tif 000005
【図４】
2020063858.tif 000006
【図５】
2020063858.tif 000007
【図６】
2020063858.tif 000008
【図７】
2020063858.tif 000009
【図８】
2020063858.tif 000010
【図９】
2020063858.tif 000011
【図１０】
2020063858.tif 000012
【図１１】
2020063858.tif 000013